(57)【特許請求の範囲】
【請求項１】
モップヘッドフレームであって、上部と、底部と、前記モップヘッドフレームの前記上部から延在する首部と、前記モップヘッドフレームの前記上部に位置する少なくとも１つの開口部によってアクセス可能な前記モップヘッドフレーム内の少なくとも１つの中空領域とを有するモップヘッドフレームと、
前記モップヘッドフレームの前記首部に取り付けられたハンドルと、
２つの対向する短辺と２つの対向する長辺とを有するほぼ矩形形状であり、２つの対向する前記長辺に沿って配置された複数のスナップファスナを有するモップヘッドであって、当該モップヘッドを前記モップヘッドフレームに固定するために、当該モップヘッドを留め合わせた領域をモップヘッドフレームの上部の開口部に押し込むことができるよう前記複数のスナップファスナを留め合わせるとき、前記モップヘッドフレームの上部に位置する少なくとも１つの前記開口部と前記スナップファスナとが上下に位置する前記モップヘッドと、
を含むクリーンルーム・モップ。
【請求項２】
前記ハンドルが、前記モップヘッドフレームの前記首部に脱着可能に取り付けられる、請求項１に記載のクリーンルーム・モップ。
【請求項３】
前記ハンドルが入れ子式ハンドルである、請求項１に記載のクリーンルーム・モップ。
【請求項４】
前記入れ子式ハンドルが、前記入れ子式ハンドルを伸ばしたり、縮めたりするためのクイック解除レバーロックを含む、請求項３に記載のクリーンルーム・モップ。
【請求項５】
前記ハンドルが鉛直位置にある場合、前記モップヘッドフレームの前記首部が、前記モップヘッドフレームを前記ハンドルに対して水平位置にロックするためのロック部材を含む、請求項１に記載のクリーンルーム・モップ。
【請求項６】
モップヘッドを前記モップヘッドフレームに固定するための、前記モップヘッドフレームの前記上部の前記少なくとも１つの開口部それぞれの内部に収容された脱着可能プレスクリップをさらに含む、請求項１に記載のクリーンルーム・モップ。
【請求項７】
前記脱着可能プレスクリップが可撓性であり、小さい開口中心と、前記小さい開口中心から延在する複数のスリットとを有する略星形に成形される、請求項６のクリーンルーム・モップ。
【請求項８】
前記モップヘッドフレームの前記上部の前記少なくとも１つの開口部が可撓性であり、小さい開口中心と、前記小さい開口中心から延在する複数のスリットとを有する略星形に成形される、請求項１に記載のクリーンルーム・モップ。
【請求項９】
前記モップヘッドが、ポリエステル織布の上部層と底層との間に完全に包まれた発泡層を含む、請求項１に記載のクリーンルーム・モップ。
【請求項１０】
前記発泡層が細孔発泡層を含み、ポリエステル織布の上部層および底層がクリーンルーム・ポリエステル織布を含む、請求項９に記載のクリーンルーム・モップ。
【請求項１１】
モップヘッドフレームは、ほぼ矩形形状である請求項１に記載のクリーンルーム・モップ。
【請求項１２】
前記少なくとも１つの中空領域は、モップヘッドフレームの上部から延在する隆起領域の中に含まれる請求項１に記載のクリーンルーム・モップ。
【請求項１３】
前記隆起領域は、ほぼ矩形形状である請求項１２に記載のクリーンルーム・モップ。
【請求項１４】
二方向３６０度のスイベルを有する請求項１に記載のクリーンルーム・モップ。
【請求項１５】
上部と、底部と、前記上部に位置する少なくとも１つの開口部とを有するモップヘッドフレームと、
２つの対向する短辺と２つの対向する長辺とを有するほぼ矩形形状であり、２つの対向する前記長辺に沿って配置された少なくとも１つのスナップファスナを有するモップヘッドと、
を含み、
前記少なくとも１つのスナップファスナは、当該少なくとも１つのスナップファスナを留め合わせ、留め合わせた領域をモップヘッドフレームの上部の前記少なくとも１つの開口部に押し込むことができるように、前記モップヘッドフレームの上部に位置する前記少なくとも１つの開口部と一直線上になる
クリーンルーム・モップ。
【請求項１６】
モップヘッドを前記モップヘッドフレームに固定するための、前記モップヘッドフレームの前記上部の前記少なくとも１つの開口部それぞれの内部に収容された脱着可能プレスクリップをさらに含む、請求項１５に記載のクリーンルーム・モップ。
【請求項１７】
前記モップヘッドフレームの前記上部の前記少なくとも１つの開口部が可撓性であり、小さい開口中心と、前記小さい開口中心から延在する複数のスリットとを有する略星形に成形される、請求項１５に記載のクリーンルーム・モップ。
【請求項１８】
前記モップヘッドが、ポリエステル織布の上部層と底層との間に完全に包まれた発泡層を含む、請求項１５に記載のクリーンルーム・モップ。
【請求項１９】
前記モップヘッドフレームの前記上部から延在する首部をさらに有する請求項１５に記載のクリーンルーム・モップ。
【請求項２０】
前記モップヘッドフレームの前記首部はロック部材を含む請求項１９に記載のクリーンルーム・モップ。
【発明の詳細な説明】
【技術分野】
【０００１】
本発明は、すべての種類の表面、特に塵、浮遊微生物、エーロゾル粒子および薬品蒸気などの環境汚染物質のレベルが低い、物品を製造および加工するためのクリーンルーム環境にあるすべての種類の表面を清掃するためのクリーンルーム・モップに関する。さらに具体的には、本発明は、モップヘッドフレームであって、その上部に位置する少なくとも１つの開口部によってアクセス可能なモップヘッドフレーム内の少なくとも１つの中空領域を備えたモップヘッドフレームと、モップヘッドフレームに取り付けられたハンドルと、対辺および対辺それぞれの上の少なくとも１つのスナップファスナを有する、モップヘッドフレームに取り付け可能なモップヘッドであって、モップヘッドの対辺を連結するためにスナップファスナを留め合わせることができるモップヘッドとを含むクリーンルーム・モップに関する。次いで、モップヘッドの留め合わせた領域をモップヘッドフレーム内に保持するために、モップヘッドの留め合わせた領域を押して、モップヘッドフレームの上部に位置する開口部に通すことができ、それによって、モップヘッドをモップヘッドフレームに固定する。
【背景技術】
【０００２】
クリーンルームは、環境汚染に敏感な品物もしくは物品を製造および／または加工するために使用される環境である。例えば、クリーンルームは、半導体およびマイクロエレクトロニクス製造、バイオ技術、光学、生命科学ならびに、品物または物品を環境汚染なく製造または加工する必要がある多くの他の分野において、広範囲に使用される。
【発明の概要】
【発明が解決しようとする課題】
【０００３】
クリーンルーム環境を維持するために、クリーンルームの天井、壁および床などのクリーンルーム内に収容された臨界表面はそれら自身、消毒剤の残留物を除去するために定期的に清掃されなければならない。これらの種類の表面は、モップヘッドで清掃することが多い。しかしながら、これらの表面は届きにくい場合があり、また、クリーンルーム表面を効果的かつ効率的に清掃するために、モップヘッドは汚れた後に容易に交換する必要がある。したがって、クリーンルームの天井、壁および床などの臨界クリーンルーム表面を容易に、効果的かつ効率的に清掃しやすくするクリーンルーム・モップならびにクリーンルーム・モップヘッドが必要である。また、交差汚染を避けるために、モップヘッドフレームと組み立てたり、モップヘッドフレームから分解したりするのが容易なクリーンルーム・モップヘッドが必要である。
【課題を解決するための手段】
【０００４】
本発明は、臨界クリーンルーム表面を清掃するためのクリーンルーム・モップおよびクリーンルーム・モップヘッドに関する。本発明のクリーンルーム・モップは、モップヘッドフレームであって、上部と、底部と、モップヘッドフレームの上部に位置する少なくとも１つの開口部によってアクセス可能なモップヘッドフレーム内の少なくとも１つの中空領域とを有するモップヘッドフレームと、モップヘッドフレームに取り付けられたハンドルとを含む。
【０００５】
例示的な一実施形態では、モップヘッドフレームはまた、モップヘッドフレームの上部から延在する首部であって、ハンドルが脱着可能に取り付けられている首部を含んでもよい。別の例示的な実施形態では、モップヘッドフレームに脱着可能に取り付けられたハンドルは、入れ子式または伸縮式であってもよく、それによって、必要であれば、清掃しなければならないクリーンルームの臨界表面に届くように、ハンドルをより長い長さに伸ば
すことができる。次いで、伸縮式ハンドルは、クリーンルーム・モップをより標準のモップ長さに戻すために縮めることができる。伸縮式ハンドルはまた、入れ子式ハンドルを伸ばしたり、縮めたりするためのクイック解除レバーロックを含んでもよい。
【０００６】
さらに別の例示的な実施形態では、本発明のモップヘッドフレームの首部は、ハンドルが鉛直位置にある場合、モップヘッドフレームをハンドルに対して水平位置にロックするためのロック部材を含んでもよく、それによって結果的に、モップヘッドフレームとハンドルとは互いに対して９０度の角度を形成する。
【０００７】
さらに別の例示的な実施形態では、モップヘッドフレームは、モップヘッドをモップヘッドフレームに固定するための、モップヘッドフレーム上部の開口部それぞれの内部に収容された脱着可能プレスクリップを含んでもよい。モップヘッドは、モップヘッドの少なくとも一部を押して、脱着可能プレスクリップに通してモップヘッドフレームの中空領域に入れることにより、モップヘッドフレームに固定することができる。さらに別の例示的な実施形態では、脱着可能プレスクリップは可撓性材料からなり、小さい開口中心と、小さい開口中心から延在する複数のスリットとを有する略星形に成形され、その結果、モップヘッドの少なくとも一部を押すまたは押圧して、脱着可能プレスクリップの小さい開口中心およびスリットに通すことができる。
【０００８】
本発明はまたモップヘッドに関し、本発明のモップヘッドは、２つの対向する短辺および２つの対向する長辺を備えた略矩形形状と、２つの対向する長辺に沿って位置する複数のスナップファスナであって、モップヘッドの２つの長い対辺を連結するために留め合わせることができるスナップファスナとを有する。さらに本発明のモップヘッドは、モップヘッドフレームの上記の様々な実施形態を覆うことができ、次いで、モップヘッドの留め合わせた領域を押圧または押して、モップヘッドフレームの開口部（または開口部に収容された脱着可能プレスクリップ）に通してモップヘッドフレームの中空領域に入れることができ、それによってモップヘッドをモップヘッドフレームに固定する。
【０００９】
本発明のモップヘッドの例示的な一実施形態では、モップヘッドは、ポリエステル織布の上部層と底層との間に完全に包まれている発泡層を含んでもよい。本発明のモップヘッドの別の例示的な実施形態では、モップヘッドは、クリーンルーム・ポリエステル織布の上部層と底層との間に完全に包まれている細孔発泡層を含んでもよい。
【００１０】
主題の発明について、添付図面と共に以下に記述する。同様の参照符号は同様の要素を示す。
【図面の簡単な説明】
【００１１】
【図１】本発明のクリーンルーム・モップの例示的モップヘッドフレームおよび部分的なハンドルの上面図である。
【図２】例示的モップヘッドがモップヘッドフレーム上に固定されている、図１に示したモップヘッドフレームおよび部分的なハンドルの上面図である。
【図２Ａ】辺同士が連結されていない状態を示した、本発明のクリーンルーム・モップの例示的モップヘッドの上面図である。
【図３】本発明のクリーンルーム・モップのモップヘッドフレームを覆うように設計されている例示的モップヘッドの部分断面図である。
【図４】図２の線４−４に沿った断面図である。
【図５】本発明のクリーンルーム・モップの例示的な一実施形態の上面図である。
【図６】本発明のクリーンルーム・モップのモップヘッドを本発明のクリーンルーム・モップのモップヘッドフレームに適用する方法を示す斜視図である。
【図７】本発明のクリーンルーム・モップのモップヘッドを本発明のクリーンルーム・モップのモップヘッドフレームに適用する方法を示す斜視図である。
【図８】本発明のクリーンルーム・モップのモップヘッドを本発明のクリーンルーム・モップのモップヘッドフレームに適用する方法を示す斜視図である。
【図９】本発明のクリーンルーム・モップのモップヘッドを本発明のクリーンルーム・モップのモップヘッドフレームに適用する方法を示す斜視図である。
【図１０】本発明のクリーンルーム・モップのモップヘッドを本発明のクリーンルーム・モップのモップヘッドフレームに適用する方法を示す斜視図である。
【図１１】本発明のクリーンルーム・モップのモップヘッドを本発明のクリーンルーム・モップのモップヘッドフレームに適用する方法を示す斜視図である。
【図１２】本発明のクリーンルーム・モップのモップヘッドを本発明のクリーンルーム・モップのモップヘッドフレームに適用する方法を示す斜視図である。
【図１３】本発明のクリーンルーム・モップのモップヘッドを本発明のクリーンルーム・モップのモップヘッドフレームに適用する方法を示す斜視図である。
【図１４】本発明のクリーンルーム・モップのモップヘッドを本発明のクリーンルーム・モップのモップヘッドフレームに適用する方法を示す斜視図である。
【図１５】本発明のクリーンルーム・モップのハンドルに連結されているのを示す、本発明のクリーンルーム・モップのモップヘッドフレームの上面図である。
【図１６】ロック位置にある状態を示した、モップヘッドフレーム上に設置したロック装置またはロック部材の拡大図である。
【図１７】ロック解除位置にある状態を示した、モップヘッドフレーム上に設置したロック装置またはロック部材の拡大図である。
【図１８】ロック位置にある状態を示した、本発明のクリーンルーム・モップのハンドル上に位置するクイック解除レバーロックの拡大図である。
【図１９】ロック解除位置にある状態を示した、本発明のクリーンルーム・モップのハンドル上に位置するクイック解除レバーロックの拡大図である。
【図２０】モップヘッドフレーム上部の開口部に位置決めされた脱着可能プレスクリップの拡大図である。
【図２１】クリーンルーム・モップのハンドルがモップヘッドフレームに取り付けられているのを示し、本発明のモップヘッドフレームに固定されているのを示した、本発明のモップヘッドの上面図である。
【図２２】クリーンルームの壁に使用されている本発明のクリーンルーム・モップを示す概略図である。
【図２３】クリーンルームの床に使用されている本発明のクリーンルーム・モップを示す概略図である。
【発明を実施するための形態】
【００１２】
本発明におけるクリーンルーム・モップ１０のモップヘッドフレーム１２および部分的なハンドル３０の例示的な一実施形態の上面図を図１に示す。モップヘッドフレーム１２は、ユーザ／オペレータがクリーンルーム・モップ１０を用いてより容易に隅に届くことができるようにする四角の端部１４を有してもよい略矩形形状を含む。フレーム１２はさらに、上部１３と、底部（図示せず）と、少なくとも１つの開口部１６によってアクセス可能なモップヘッドフレーム１２内の少なくとも１つの中空領域（図示せず）とを含む。モップヘッドフレーム１２は、モップヘッドフレーム１２の上部１３から延在する隆起領域１５を備えた略平面である。モップヘッドフレーム１２内の中空領域（図示せず）は、この隆起領域１５の内部に位置する。
【００１３】
脱着可能プレスクリップ１８は、モップヘッドフレーム１２の隆起領域１５上に位置する開口部１６に挿入し、モップヘッドをモップヘッドフレーム１２に取り付けて固定するのを補助する。脱着可能プレスクリップ１８は可撓性であってもよく、また、小さい開口中心１７と、小さい開口中心１７から延在する複数のスリット１９とを備えた略星形形状
を有してもよい。
【００１４】
図２は、例示的モップヘッド２０がモップヘッドフレーム１２上に固定されている、図１に示したモップヘッドフレーム１２および部分的なハンドル３０の上面図である。図２Ａは、辺同士が連結されていない状態を示した、本発明のクリーンルーム・モップの例示的モップヘッド２０の上面図である。モップヘッド２０は、２つの対向する短辺２３と２つの対向する長辺２５を備えた略矩形形状を有し、対向する長辺２５はさらに、対向する長辺２５を留め合わせるためのスナップファスナ２７を含み、それによって、モップヘッドフレーム１２を覆うスリーブを生成する。一旦、モップヘッド・スリーブをモップヘッドフレーム１２上に位置決めすると、モップヘッド２０をモップヘッドフレーム１２に取り付けて固定するために、モップヘッド２０の留め合わせた領域を押圧または押して、モップヘッドフレーム１２の上部１３から延在する隆起領域１５の開口部１６に収容された脱着可能プレスクリップ１８に通す。
【００１５】
モップヘッドフレーム２０の短い対辺２３の最も近くに位置する、モップヘッド２０の長い対辺２５の端部は、接着剤を用いずに、熱および圧力を用いる積層によって、既に互いに固定していてもよく、一方、長い対辺２５の長さの残りは、長さに沿って位置決めした対のスナップファスナを有して解放されており、後に長い対辺２５の長さの残りが互いに連結されることに留意すべきである。あるいは、長い対辺２５の全長を単にスナップファスナで互いに連結するだけでもよい。
【００１６】
本発明のクリーンルーム・モップ１０のモップヘッドフレーム１２を覆うように設計されている例示的モップヘッド２０の部分断面図を図３に示す。図３に示すように、モップヘッド２０は、ポリエステル織布の二層（上部層と底層）２４の間に完全に包まれている発泡層２２を含む。発泡層２２は、細孔発泡層を含んでもよく、上部層および底層２４は、クリーンルーム・ポリエステル織布の層を含んでもよい。細孔発泡層２２は、接着剤を使用せず、熱および圧力を用いてポリエステル織布の層２４を細孔発泡層２２に積層することによって、クリーンルーム・ポリエステル織布層２４の間に包まれてもよい。
【００１７】
前述のように、例示的モップヘッド２０は、モップヘッドフレーム１２上で、モップヘッド２０の対向する長い端部２５を留め合わせることにより、モップヘッドフレーム１２を覆う（図１１参照）。次いで、モップヘッド２０の留め合わせた領域を押圧または押して、モップヘッドフレーム１２の開口部１６内に収容された脱着可能プレスクリップ１８に入れることによって、モップヘッド２０をモップヘッドフレーム１２に固定する（参照図１３）。
【００１８】
図２の線４−４に沿った断面図を図４に示す。図４は、本発明のクリーンルーム・モップのフレーム１２の周りを包んだモップヘッド２０の細孔発泡層２２およびポリエステル織布層２４を示す。図５は、本発明のクリーンルーム・モップ１０の例示的な一実施形態の上面図である。図５は、入れ子式ハンドル３０を伸ばしたり、縮めたりするためのクイック解除レバーロック３２を備えた入れ子式ハンドル３０に取り付けられたフレーム１２を示す。
【００１９】
図６〜１４は、本発明のクリーンルーム・モップ１０のモップヘッド２０を、本発明のクリーンルーム・モップ１０のモップヘッドフレーム１２に適用する方法を示す斜視図である。図６では、ユーザ／オペレータは、ハンドル３０を鉛直位置に保持しながら、モップヘッドフレーム２０を鉛直位置に保持する。次いでユーザ／オペレータは、モップヘッド２０の対向する長辺２５上に収容された第１の１対のスナップファスナ２７を留め合わせ、次いで、図７および８に示すように、モップヘッド２０の留め合わせた部分をモップヘッドフレーム１２上に滑らせる。次いで、図９および１０に示すように、ユーザ／オペ
レータは、モップヘッドフレーム１２に沿って鉛直方向上向きにモップヘッド２０を滑らせて、モップヘッド２０をモップヘッドフレーム１２上に正確に位置決めする。次いで、ユーザ／オペレータは、図１１および１２に示すように、モップヘッド２０の長い対辺２５上に位置する別の対のスナップファスナ２７を留め合わせる。次に、図１３に示すように、モップヘッド２０の留め合わせた領域を押圧または押して、モップヘッドフレーム１２の開口部１６内に収容された脱着可能プレスクリップ１８に通す。図１４は、モップヘッド２０上の残りのスナップファスナ２７を留め合わせ、押して、モップヘッドフレーム１２の開口部１６内に収容された脱着可能プレスクリップ１８に通すように、モップヘッド２０をさらに調整し、位置決めするのを示す。
【００２０】
図１５は、本発明のクリーンルーム・モップのハンドル３０に連結されている状態を示した、本発明のクリーンルーム・モップのモップヘッドフレーム１２の上面図である。図１５に示すように、清掃中、ユーザ／オペレータが、より容易にクリーンルーム表面の隅に届くことができるように、モップヘッドフレーム１２の端部が「四角」になっている。図１６は、ロック位置にある状態を示したモップヘッドフレーム上に設置したロック装置またはロック部材４０の拡大図であり、図１７は、ロック解除位置にある状態を示したモップヘッドフレーム上に設置したロック装置またはロック部材４０の拡大図である。ロック部材４０は、ハンドルが鉛直位置にある場合、モップヘッドフレーム１２をハンドルに対して水平位置にロックするように機能し、その結果、クリーンルームの壁などの表面を清掃するために、より効率的かつ効果的にクリーンルーム・モップ２０を使用することができる。ロック部材４０がロック解除位置にある場合、クリーンルーム・モップ２０は、クリーンルームの床を清掃するために、ほとんどの場合使用される旋回運動を維持する。
【００２１】
図１８は、ロック位置にある状態を示した本発明のクリーンルーム・モップの入れ子式ハンドル３０上に位置するクイック解除レバーロック３２の拡大図であり、図１９は、ロック解除位置にある状態を示した本発明のクリーンルーム・モップの入れ子式ハンドル３０上に位置するクイック解除レバーロック３２の拡大図である。素早くかつ容易に入れ子式ハンドルを伸ばしたり、縮めたりすることができるように、レバーロック３０を入れ子式ハンドル３０上に設置する。さらに、本発明のクリーンルーム・モップ１０のハンドル３０をさらに延長するために、延長部材（図示せず）をハンドル３０に取り付けてもまたよい。
【００２２】
図２０は、モップヘッドフレーム１２上部の開口部１６に位置決めされた脱着可能プレスクリップ１８の拡大図である。脱着可能プレスクリップ１８は可撓性で略星形に成形されてもよく、モップヘッドフレーム１２全体を交換する必要なく破損した場合、除去および交換することができる。
【００２３】
図２１は、クリーンルーム・モップのハンドル３０がモップヘッドフレーム１２に取り付けられているのを示し、本発明のモップヘッドフレーム１２に固定されているのを示した、本発明のモップヘッド２０の上面図である。モップヘッドフレーム１２上により良好に取り付けやすくするために、モップヘッド２０に余分なスナップファスナ２７のセットを加えてもよい。
【００２４】
図２２は、クリーンルームの壁に使用されている本発明のクリーンルーム・モップを示す概略図であり、図２３は、クリーンルームの床に使用されている本発明のクリーンルーム・モップを示す概略図である。
本発明のクリーンルーム・モップの例示的特徴および利点は、以下を含む。
＊＊本発明のクリーンルーム・モップは、二方向３６０度のスイベルを有し、狭い空間への最良のアクセスを可能にする１．５インチの薄型設計であり、それらによってデッドスポットを減らす。
＊＊クリーンルーム・モップのモップヘッドは、繊維および粒子を最良に制御するための、クリーンルーム・ポリエステル織布の二層間に完全に包まれた超微孔発泡を用いる構造技術を特徴とする。
＊＊クリーンルーム・モップのモップヘッドは、発泡構造上に耐摩耗性クリーンルーム織布と、無菌室における起伏があって滑り止めの付いている床を確実に繊維を出さずにモップがけするクラス１００加工を有する。
＊＊本発明のクリーンルーム・モップは、引張運動および８の字運動に対応する、すべての表面、広面積の設計を有し、それによって、複数のモップの種類を不要とすることで、ＳＯＰを単純化し、コストを削減する。
＊＊本発明のクリーンルーム・モップは、無菌で、検認試験を軽減するために国際規格機構（ＩＳＯ）認定施設で製造する。
＊＊本発明のクリーンルーム・モップは、ユーザ／オペレータの疲労および広い空間の清掃時間を低減する超軽量の入れ子式ハンドルならびに延長部材を有する。
＊＊クリーンルーム・モップのモップヘッドは、漂白剤および他の重質残渣を残す消毒剤の洗浄を高めるために、超極細織布を有してもよい。
＊＊クリーンルーム・モップを含む材料は、Ｖｅｓｐｈｅｎｅ、ＬｐＨ、漂白剤、過酢酸およびＳｐｏｒ  Ｋｌｅｎｚ製剤を含む最も強い消毒剤および殺胞子剤に対応する。
＊＊クリーンルーム・モップのモップヘッドは、胞子を消毒する際の特に長い接触時間のＳＯＰ要件を満たすのに余分に厚くてもよい。
【００２５】
本明細書における本発明の例示的な実施形態の詳細な説明は、発明者にとってこの時点で既知である、本発明の様々な例示的な実施形態および最良の形態を示す。これらの例示的な実施形態および形態は、当業者が本発明を実施できるように十分詳細に記述され、本発明の範囲、利用可能性または構造を何ら制限するものではない。むしろ、以下の開示は、例示的な実施形態および形態と、当業者にとって既知もしくは明白な任意の等価の形態または実施形態との両方の実施を教示することを意図する。さらに、含まれるすべての図面は、例示的な実施形態および形態を非限定的に説明するものであり、同様に、当業者にとって既知もしくは明白な任意の等価の形態または実施形態に役立つ。
【００２６】
本発明の実施で使用される構造、配置、用途、大きさ、要素、材料もしくは構成要素の他の組合せおよび／または修正は、具体的に言及していないものに加えて、本発明の範囲から逸脱することなく、変更したり、特定の環境、製造仕様、設計パラメータもしくは他の動作要件に特に適応させたりすることができ、本開示に含まれることを意図する。
【図１】
0005948344.tif 000002
【図２】
0005948344.tif 000003
【図２Ａ】
0005948344.tif 000004
【図３】
0005948344.tif 000005
【図４】
0005948344.tif 000006
【図５】
0005948344.tif 000007
【図６】
0005948344.tif 000008
【図７】
0005948344.tif 000009
【図８】
0005948344.tif 000010
【図９】
0005948344.tif 000011
【図１０】
0005948344.tif 000012
【図１１】
0005948344.tif 000013
【図１２】
0005948344.tif 000014
【図１３】
0005948344.tif 000015
【図１４】
0005948344.tif 000016
【図１５】
0005948344.tif 000017
【図１６】
0005948344.tif 000018
【図１７】
0005948344.tif 000019
【図１８】
0005948344.tif 000020
【図１９】
0005948344.tif 000021
【図２０】
0005948344.tif 000022
【図２１】
0005948344.tif 000023
【図２２】
0005948344.tif 000024
【図２３】
0005948344.tif 000025